(57)【要約】【課題】貯湯タンクの上方に配置されるヒートポンプユニットを有し、設置の自由度が高い貯湯式給湯機を得ること。【解決手段】貯湯タンクユニット９０の上方にヒートポンプユニット１０が配置される貯湯式給湯機１００を構成するにあたり、貯湯タンクの下部からヒートポンプユニットを経て貯湯タンクの上部に達する循環管路３０での往き管に、貯湯タンクの下部に接続された第１往き管部３１ａと、ヒートポンプユニットに接続された第２往き管部３１ｂと、これらを接続する往き管接続部４１ａとを含ませ、循環管路での戻り管に、ヒートポンプユニットに接続された第１戻り管部３２ａと、貯湯タンクの上部に接続された第２戻り管部３２ｂと、これらを接続する戻り管接続部と４１ｂとを含ませ、往き管接続部および戻り管接続部は貯湯タンクを覆う筐体４０の上部領域に配置され、ヒートポンプユニットは、筐体とは別体の支持部材９５により筐体の上方に支持される。【選択図】        図１
2009204253.tif 000002
【特許請求の範囲】
【請求項１】
ヒートポンプユニットで沸き上げられた湯を貯留する貯湯タンクと、該貯湯タンクの下部から前記ヒートポンプユニットへ水を流入させる往き管と前記ヒートポンプユニットから湯を前記貯湯タンク上部へ戻す戻り管とを有する循環管路と、前記貯湯タンクを覆う筐体とを備える貯湯式給湯機において、
前記往き管は、一端が前記貯湯タンクの下部に接続された第１往き管部と、一端が前記ヒートポンプユニットに接続された第２往き管部と、前記第１往き管部と前記第２往き管部とを接続する往き管接続部とを含み、
前記戻り管は、一端が前記ヒートポンプユニットに接続された第１戻り管部と、一端が前記貯湯タンクの上部に接続された第２戻り管部と、前記第１戻り管部と前記第２戻り管部とを接続する戻り管接続部とを含み、
前記往き管接続部および前記戻り管接続部の各々は、前記筐体の上部領域に配置され、
前記ヒートポンプユニットは、前記筐体とは別体に作製された支持部材により前記筐体の上方に支持される、
ことを特徴とする貯湯式給湯機。
【請求項２】
前記ヒートポンプユニット内に生じた水および前記貯湯タンク内の水をそれぞれ排出する排水管路を更に備え、
該排水管路は、一端が前記ヒートポンプユニットに接続された第１排水管と、一端が前記筐体に接続された第２排水管と、前記第１排水管と前記第２排水管を接続する排水管接続部とを含み、
排水管接続部は、前記筐体の上部領域に配置されていることを特徴とする請求項１に記載の貯湯式給湯機。
【請求項３】
前記貯湯タンク内に貯留された湯を前記貯湯タンクの上部から所定の給湯先に供給する給湯管路を更に備え、
該給湯管路は、前記筐体の外部に位置する第１給湯管と、一端が前記貯湯タンクの上部に接続された第２給湯管と、前記第１給湯管と前記第２給湯管とを接続する給湯管接続部とを含み、
前記給湯管接続部は、前記筐体の上部領域に配置されていることを特徴とする請求項１または２に記載の貯湯式給湯機。
【請求項４】
前記筐体は、該筐体の側部から天面部に亘る凹部を有し、
前記往き管接続部および前記戻り管接続部は、前記凹部に設けられていることを特徴とする請求項１〜３のいずれか１つに記載の貯湯式給湯機。
【請求項５】
前記貯湯タンク内の圧力を逃す圧力逃し弁と、当該圧力逃し弁を前記貯湯タンクの上部に接続する圧力逃し弁１次側接続配管とを更に備え、
前記第２戻り管部と貯湯タンク上部との接続位置は、前記圧力逃し弁１次側接続配管と貯湯タンクとの接続位置よりも低いかまたは略同じ高さであることを特徴とする請求項１〜４のいずれか１つに記載の貯湯式給湯機。
【請求項６】
前記貯湯タンク内の圧力を逃す圧力逃し弁と、当該圧力逃し弁を前記貯湯タンクの上部に接続する圧力逃し弁１次側接続配管とを更に備え、
前記第２戻り管部は、前記圧力逃し弁の下方で前記圧力逃し弁１次側接続配管と直交する方向から該圧力逃し弁１次側接続配管に接続されていることを特徴とする請求項１〜４のいずれか１つに記載の貯湯式給湯機。
【請求項７】
前記圧力逃し弁の２次側に一端が接続され、前記第２排水管に他端が接続された圧力逃し弁２次側接続配管を更に備えていることを特徴とする請求項５または６に記載の貯湯式給湯機。
【発明の詳細な説明】
【技術分野】
【０００１】
本発明は、貯湯式給湯機に関するものである。
【背景技術】
【０００２】
ヒートポンプユニットを備えた貯湯式給湯機では、貯湯タンクユニットとヒートポンプユニットとが同一高さの床面に配置されることが多いが、集合住宅のパイプスペースのような限られたスペースに貯湯式給湯機を設置する場合には、ヒートポンプユニットが貯湯タンクユニットの上方に設置されることもある。例えば特許文献１に記載された貯湯式給湯機では、筐体内に仕切板を設けて当該筐体内を上下２区画に分け、下の区画に貯湯タンクユニットを設置し、上の区画にヒートポンプユニットを設置した貯湯式給湯機が記載されている。この貯湯式給湯機では、ヒートポンプユニットを固定するための凹部が上記の仕切板に形成されており、ヒートポンプユニットは、当該仕切板の凹部に嵌め込まれている。
【０００３】
【特許文献１】特開２００１−１１６３５６号公報（第１頁、図２）
【発明の開示】
【発明が解決しようとする課題】
【０００４】
しかしながら、特許文献１に記載された貯湯式給湯機では、その外形および大きさが筐体により規定されてしまう。このため、パイプスペース内の配管や設備を避けて配置する場合には、当該貯湯式給湯機全体を移動させなければならず、パイプスペースに収まりきらないこともある。
【０００５】
本発明は上記の事情に鑑みてなされたものであり、貯湯タンクの上方に配置されるヒートポンプユニットを有し、設置の自由度が高い貯湯式給湯機を得ることを目的とする。
【課題を解決するための手段】
【０００６】
上述した課題を解決し、目的を達成するために、本発明は、ヒートポンプユニットで沸き上げられた湯を貯留する貯湯タンクと、貯湯タンクの下部からヒートポンプユニットへ水を流入させる往き管とヒートポンプユニットから湯を貯湯タンク上部へ戻す戻り管とを有する循環管路と、貯湯タンクを覆う筐体とを備える貯湯式給湯機において、往き管は、一端が貯湯タンクの下部に接続された第１往き管部と、一端がヒートポンプユニットに接続された第２往き管部と、第１往き管部と第２往き管部とを接続する往き管接続部とを含み、戻り管は、一端がヒートポンプユニットに接続された第１戻り管部と、一端が貯湯タンクの上部に接続された第２戻り管部と、第１戻り管部と第２戻り管部とを接続する戻り管接続部とを含み、往き管接続部および戻り管接続部の各々は、筐体の上部領域に配置され、ヒートポンプユニットは、筐体とは別体に作製された支持部材により筐体の上方に支持されるように構成するものである。
【発明の効果】
【０００７】
この発明の貯湯式給湯機では、ヒートポンプユニットを支持する支持部材の位置を変えることにより、貯湯タンクを覆っている筐体の上方でヒートポンプユニットを変位させることができるので、当該貯湯式給湯機の設置スペースに配管や設備に障害物があったときでも該障害物を避けて設置することが容易である。従って、本発明によれば設置の自由度が高い貯湯式給湯機を得ることができる。
【発明を実施するための最良の形態】
【０００８】
以下に、本発明にかかる貯湯式給湯機の実施の形態を図面に基づいて詳細に説明する。なお、本発明は、以下に説明する実施の形態に限定されるものではない。
【０００９】
図１は、本発明の貯湯式給湯機の一例を概略的に示す設置構成図である。同図に示す貯湯式給湯機１００は、例えばマンション等の集合住宅のパイプスペース１１０内に設置されている。パイプスペース１１０は、水道管や電気設備配線、ガス管、排水管などが集中して配設された空間であり、例えば床面積が１畳から半畳程度で高さが約１．８ｍ程度のスペースである。
【００１０】
貯湯式給湯機１００は、熱交換器１１を有するヒートポンプユニット１０と、ヒートポンプユニット１０で沸き上げられた湯を貯留する貯湯タンク２０と、貯湯タンク２０の下部からヒートポンプユニット１０へ水を流入させる往き管とヒートポンプユニット１０から湯を貯湯タンク２０の上部へ戻す戻り管とを有する循環管路３０と、貯湯タンク２０を覆う筐体４０とを備えている。更には、貯湯タンク２０に水道水等の市水を供給する給水管路５０、貯湯タンク２０内の水を所望の給湯先に供給する給湯管路６０、ヒートポンプユニット１０内に生じた水および貯湯タンク２０内の水をそれぞれ排出する排水管路７０、ヒートポンプユニット１０の動作を制御する制御装置８０、制御装置８０の入力装置として機能する操作部８３、およびヒートポンプユニット１０を筐体４０の上方に支持する支持部材９５を備えている。
【００１１】
ヒートポンプユニット１０は、循環管路３０の往き管から熱交換器１１に供給された水を当該熱交換器１１で湯に沸き上げて循環管路３０の戻り管に供給する熱供給源である。ヒートポンプユニット１０は、往き管の一端が接続される第１接続部１２ａ、第１接続部１２ａと熱交換器１１とを繋ぐ熱交換器接続往き管１３、戻り管の一端が接続される第２接続部１２ｂ、および第２接続部１２ｂと熱交換器１１とを繋ぐ熱交換器接続戻り管１４を有している。また、ヒートポンプユニット１０の下部に設けられてドレン水や漏水により生じた水を受けるドレンパン１５、ドレンパン１５が受けた水を排出する第１排出口１６を有している。ヒートポンプユニット１０は、筐体１９を有しており、第１接続部１２ａと第２接続部１２ｂと第１排出口１６とは筐体１９上に形成され、熱交換器１１と熱交換器接続往き管１３と熱交換器接続戻り管１４とは筐体１９内に収納されている。また、ヒートポンプユニット１０は、有線または無線により後述する制御装置８０の判断部８１に接続されている。
【００１２】
貯湯タンク２０は、給水管路５０から供給された水とヒートポンプユニット１０で沸き上げられた湯とを貯留するためのものである。貯湯タンク２０の下部には、循環管路３０での往き管の一端と、給水管路５０の一端と、後述する貯湯タンク排水配管７３の一端とが接続されている。貯湯タンク２０の上部には、給湯管路６０の一端と、後述する圧力逃し弁７５の１次側に接続された圧力逃し弁１次側接続配管７６とが接続されている。
【００１３】
循環管路３０での往き管は、一端が貯湯タンク２０の下部に接続された第１往き管部３１ａと、一端が第１接続部１２ａに接続された第２往き管部３１ｂと、第１往き管部３１ａと第２往き管部３１ｂとを接続する往き管接続部４１ａとを含んで構成されている。第１往き管部３１ａは筐体４０内に収納されており、第２往き管部３１ｂは筐体４０外部に設けられており、往き管接続部４１ａは筐体４０の上部領域、具体的には天面部に配置されている。
【００１４】
第１往き管部３１ａには、第１往き管部３１ａ内の水を昇圧することにより循環管路３０内の水と湯を循環させる循環ポンプＰが設けられている。循環ポンプＰには、後述する制御装置８０の判断部８１が接続され、判断部８１により動作制御される。
【００１５】
循環管路３０での戻り管は、一端が第２接続部１２ｂに接続された第１戻り管部３２ａと、一端が圧力逃し弁１次側接続配管７６を介して貯湯タンク２０の上部に接続された第２戻り管部３２ｂと、第１戻り管部３２ａと第２戻り管部３２ｂとを接続する戻り管接続部４１ｂとを含んで構成されている。第１戻り管部３２ａは筐体４０外部に設けられており、第２戻り管部３２ｂは筐体４０内に収納されており、戻り管接続部４１ｂは筐体４０の上部領域、具体的には天面部に配置されている。
【００１６】
筐体４０は、貯湯タンク２０と、貯湯タンク２０周辺の各機器とを覆うものである。筐体４０の上部領域、具体的には天面部には、上述した往き管接続部４１ａおよび戻り管接続部４１ｂの他に、給湯管路６０を構成する給湯管接続部４２、および排水管路７０を構成する排水管接続部４３も設けられており、筐体４０の底部には、第２排出口４５が設けられている。また、筐体４０の側面を給水管路５０が貫通しており、給水管路５０の一端は貯湯タンク２０の下部に接続されている。
【００１７】
給湯管路６０は、筐体４０の外部に位置する第１給湯管６１と、一端が貯湯タンク２０の上部に接続された第２給湯管６２と、第１給湯管６１と第２給湯管６２とを接続する上述の給湯管接続部４２とを含んで構成されている。第１給湯管６１の他端には、貯湯式給湯機１００の外部に設けられた出湯端末である給湯栓６３が接続されている。使用者がこの給湯栓６３を開くことにより、貯湯タンク２０内の湯が第２給湯管６２、給湯管接続部４２、および第１給湯管６１を経由して当該給湯栓６３から出湯する。
【００１８】
排水管路７０は、一端がヒートポンプユニット１０の第１排出口１６に接続され、他端が上述の排水管接続部４３に接続された第１排水管７１と、一端が排水管接続部４３に接続され、他端が上述の第２排出口４５に接続された第２排水管７２と、一端が貯湯タンク２０の下部に接続され、他端が第２排出口４５に接続された貯湯タンク排水配管７３とを含んで構成されている。第１排水管７１は、筐体４０外部に設けられ、第２排水管７２は、筐体４０内に設けられている。
【００１９】
ヒートポンプユニット１０内に生じたドレン水は、ドレンパン１５を介して第１排出口１６に集められ、第１排水管７１、排水管接続部４３、および第２排水管７２を介して第２排出口４５に排出され、ここから更にドレン配管７９に排出される。また、貯湯タンク２０を水抜きする際には、貯湯タンク２０内の水が貯湯タンク排水配管７３を介して第２排出口４５に排出され、ここから更にドレン配管７９に排出される。貯湯タンク排水配管７３の途中には貯湯タンク排水弁７４が設けられており、貯湯タンク２０を水抜きする際には制御装置８０による制御の下に当該貯湯タンク排水弁７４が開にされる。
【００２０】
なお、第２排水管７２には、一端が圧力逃し弁７５の２次側に接続された圧力逃し弁２次側接続配管７７が接続されている。圧力逃し弁７５は、貯湯タンク２０内の水の温度上昇に伴う体積膨張によって貯湯タンク２０が破裂してしまうのを防止するための弁である。上記の体積膨張により生じた余剰水が前述の圧力逃し弁１次側接続配管７６を介して圧力逃し弁７５に供給され、ここから圧力逃し弁２次側接続配管７７を介して第２排水管７２に排出される。
【００２１】
前述した循環管路３０の第２戻り管部３２ｂは、圧力逃し弁７５の下方で圧力逃し弁１次側接続配管７６と直交する方向から当該圧力逃し弁１次側接続配管７６に接続されている。圧力逃し弁１次側接続配管７６は貯湯タンク２０の頂部に接続されており、当該圧力逃し弁１次側接続配管７６と貯湯タンク２０との接続位置は、第２給湯管６２と貯湯タンク２０との接続位置よりも上方にある。
【００２２】
制御装置８０は、判断部８１と記憶部８２とを有し、貯湯式給湯機１００の外部に配置されて制御装置８０に有線接続または無線接続された操作部８３から使用者が入力した指令や情報等に基づいて貯湯式給湯装置１００の各部の動作を制御する。例えば、ヒートポンプユニット１０による沸上温度を指定する情報や、沸上運転の開始時刻を指定する情報や、貯湯式給湯機１００の起動を指示する指令や、貯湯タンク２０の水抜きを指示する指令等が操作部８３から入力される。
【００２３】
上記の操作部８３から入力された情報は、記憶部８２に格納される。判断部８１は、操作部８３から入力された指令に応じて、ヒートポンプユニット１０や貯湯タンク排水弁７４の動作を制御する。また、記憶部８２に格納されている情報や貯湯タンク２０内の温度情報等に基づいてヒートポンプユニット１０や循環ポンプＰの動作を制御する。上記の温度情報を得るために、貯湯タンク２０内には互いに異なる取付け高さをもって複数の温度検出センサ２０ａ、２０ｂ、２０ｃ、２０ｄがそれぞれ配置されて、各々が制御装置８０に有線または無線により接続されている。なお、図１には１つの操作部８３のみが示されているが、複数の操作部８３を設けることもできる。
【００２４】
次に、貯湯式給湯機１００の沸上運転について説明する。沸上運転は、ユーザにより指定された沸上開始時刻になると開始される。沸上開始時刻は、光熱費を抑えるため、例えば深夜電力時間帯（一般に２３時から７時の間）に設定される。使用者は、操作部８３により沸上運転の開始時刻を指定することができる。制御装置８０は、時計機能を有している。
【００２５】
沸上運転開始時には、制御装置８０によりヒートポンプユニット１０と循環ポンプＰとが同時期に起動されて、貯湯タンク２０に貯留されている水が第１往き管部３１ａ、往き管接続部４１ａ、第２往き管部３１ｂ、第１接続部１２ａ、熱交換器接続往き管１３を経由して熱交換器１１へ流入する。熱交換器１１に流入した水は、設定された温度（例えば９０℃）になるように熱交換器１１により加熱されて湯に沸き上げられる。熱交換器１１により沸き上げられた湯は、熱交換器接続戻り管１４、第２接続部１２ｂ、第１戻り管部３２ａ、戻り管接続部４１ｂ、第２戻り管部３２ｂを経由して貯湯タンク２０の上部に戻される。このとき、湯の比重の方が水の比重よりも小さいことから、貯湯タンク２０に戻された湯は、貯湯タンク２０の上部の頂部側に滞留する。
【００２６】
沸上運転の開始から時間が経過するにつれて、貯湯タンク２０の上部に戻された湯により貯湯タンク２０の上部に形成された湯層が貯湯タンク２０の下部の方向に拡大する。貯湯タンク２０内の水が徐々に湯に変換されていくため、貯湯タンク２０内の水の温度が上昇して貯湯タンク２０内の圧力が上昇する。貯湯タンク２０内の圧力が一定圧を超えると、貯湯タンク２０の上部に接続された圧力逃し弁７５から余剰水が排出されることにより、貯湯タンク２０内の圧力が一定圧以下に維持される。圧力逃し弁７５から排出された余剰水は、圧力逃し弁２次側接続配管７７、第２排水管７２、第２排出口４５を経由してドレン配管７９へ排出される。
【００２７】
また、水の温度が上昇すると、水での空気溶解度が低下することにより、熱交換器１１により沸き上げられた湯が流れる戻り管内や貯湯タンク２０内には、空気が発生しやすくなる。第２戻り管部３２ｂが圧力逃し弁７５よりも低い位置で圧力逃し弁１次側接続配管７６に接続されていることにより、戻り管内の湯に発生した空気は、圧力逃し弁１次側接続配管７６から圧力逃し弁７５を介して圧力逃し弁２次側接続配管７７に流入する。
【００２８】
そして、圧力逃し弁１次側接続配管７６と貯湯タンク２０との接続位置が第１給湯管６１と貯湯タンク２０との接続位置の上方であることから、貯湯タンク２０内に貯留された湯から発生した空気は、貯湯タンク２０の頂部にある圧力逃し弁１次側接続配管７６に流入しやすくなる。従って、貯湯タンク２０内で湯から空気が発生しても、発生した空気が給湯管路６０に流入することが抑えられて、給湯栓６３から空気の混ざった湯が噴出することが抑制される。
【００２９】
貯湯タンク２０内で形成された湯層が拡大して例えば温度検出センサ２０ｄにより検出される水の温度が一定温度（例えば６０℃）を超えると、判断部８１は、貯湯タンク２０内に必要量の湯が確保されていると判断して、沸上運転を終了する。
【００３０】
次に、貯湯式給湯機１００の設置方法について説明する。貯湯式給湯機１００は、予めヒートポンプユニット１０と貯湯タンクユニット９０とにユニット化されて、設置場所に搬送される。貯湯タンクユニット９０では、貯湯タンク２０、各温度検出センサ２０ａ〜２０ｄ、第１往き管部３１ａ、筐体４０、往き管接続部４１ａ、戻り管接続部４１ｂ、給湯管接続部４２、排水管接続部４３、第２排出口４５、給水管路５０、第２給湯管６２、第２排水管７２、貯湯タンク排水配管７３、貯湯タンク排水弁７４、圧力逃し弁７５、圧力逃し弁１次側接続配管７６、圧力逃し弁２次側接続配管７７、および制御装置８０が所定の関係で配置され、接続されている。
【００３１】
設置工事者は、まず、パイプスペース１１０内でのヒートポンプユニット１０および貯湯タンクユニット９０の配置を決める。このとき、支持部材９５によって支持されるヒートポンプユニット１０の設置場所は、パイプスペース１１０内での配線や配管の設置状況に応じて適宜変更可能である。支持部材９５の取付け位置を変えることにより、筐体４０の上方でヒートポンプユニット１０を変位させることができる。また、貯湯タンクユニット９０の設置場所についてもパイプスペース１１０内での配線や配管の設置状況に応じて適宜変更可能である。１つの筐体内に貯湯タンクユニットとヒートポンプユニットとを設置した従来の貯湯式給湯機に比べると貯湯タンクユニット９０は小型であるので、当該貯湯タンクユニット９０の設置の自由度も高い。設置スペースに障害物があったときでも、障害物を避けてヒートポンプユニット１０および貯湯タンクユニット９０を設置することができる。
【００３２】
ヒートポンプユニット１０と貯湯タンクユニット９０との配置が決められると、設置工事者は循環管路３０、給水管路５０、給湯管路６０、および排水管路７０の組み立て工事および操作部８３の設置工事を行う。
【００３３】
循環管路３０の組み立ては、第２往き管部３１ｂおよび第１戻り管部３２ａを接続することにより行われる。すなわち、第２往き管部３１ｂの一端を往き管接続部４１ａに接続し、第２往き管部３１ｂの他端を第１接続部１２ａに接続し、第１戻り管部３２ａの一端を第２接続部１２ｂに接続し、第１戻り管部３２ａの他端を戻り管接続部４１ｂに接続することにより行われる。このとき、第１往き管部３１ａと第２戻り管部３２ｂとが予め筐体４０内に設けられているため、循環管路３０の組み立ての際に、第１往き管部３１ａと第２戻り管部３２ｂとは、他の配管や設備の障害物とならない。従って、第２往き管部３１ｂおよび第１戻り管部３２ａを所定箇所に接続するだけでよいので、パイプスペース１１０内での施工を効率よく、かつ短い施工距離の下に行うことができる。また、第１戻り管部３２ａを戻り管接続部４１ｂに接続することにより、貯湯タンクユニット９０とヒートポンプユニット１０とが同一高さの床面に配置される際に第２接続部１２ｂから立ち上げて貯湯タンク２０の上部に接続する場合と比較して、第１戻り管部３２ａの配管長さをより短くすることができる。この結果、第１戻り管部３２ａ内の湯からの熱の放散がより低く抑えられ、省エネルギー化が図られる。
【００３４】
給湯管路６０の組み立ては、給湯管接続部４２に第１給湯管６１を接続することにより行われる。このとき、第２給湯管６２は、予め筐体４０内に設けられているため、給湯管路６０の組み立ての際に他の配管や設備の障害物とならない。
【００３５】
排水管路７０の組み立ては、第１排水管７１およびドレン配管７９を接続することにより行われる。すなわち、第１排水管７１の一端を第１排出口１６に接続し、第１排水管７１の他端を排水管接続部４３に接続し、ドレン配管７９を第２排出口４５に接続することにより行われる。このとき、第２排水管７２と貯湯タンク排水配管７３とが予め筐体４０内に設けられているため、排水管路７０の組み立ての際に、第２排水管７２と貯湯タンク排水配管７３とは、他の配管や設備の障害物とならない。従って、第１排水管７１およびドレン配管７９を所定箇所に接続するだけでよいので、パイプスペース１１０内での施工を効率よく、かつ短い施工距離の下に行うことができる。更には、ヒートポンプユニット１０内に生じた水を排出する排水管路と貯湯タンク２０内の水を排出する排水管路とを排水管路７０に１本化しているので、排水施工の簡素化や、配管材料の減量化や、廃棄の際における環境負荷の低減を図ることができる。
【００３６】
上述のようにして設置される貯湯式給湯機１００は、既に説明したようにパイプスペース１１０内での配線や配管の設置状況に応じてヒートポンプユニット１０を適宜変位させることができるので、設置の自由度が高い。また、循環管路３０、給水管路５０、給湯管路６０、および排水管路７０を組み立てる際のパイプスペース１１０内での施工を効率よく、かつ短い施工距離の下に行うことができるので、当該貯湯式給湯機１００の施工性はよく、設置コストも抑えやすい。
【００３７】
なお、貯湯式給湯機１００では、圧力逃し弁１次側接続配管７６を貯湯タンク２０の頂部に接続し、第２戻り管部３２ｂを圧力逃し弁１次側接続配管７６に接続しているが、本発明はこれに限定されるものではない。
【００３８】
図２は、本発明の貯湯式給湯機の他の例での要部を概略的に示す拡大図である。同図に示す貯湯式給湯機１００Ａは、第２戻り管部３２ｂと貯湯タンク２０との接続形態を除き、図１に示した貯湯式給湯機１００と同様の構成を有しているので、図２においては、図１に示した構成部材と機能が共通する構成部材に図１で用いた参照符号と同じ参照符号を付してある。
【００３９】
図示のように、貯湯式給湯機１００Ａでは、第２戻り管部３２ｂが貯湯タンク２０の上部に接続されている。第２戻り管部３２ｂと貯湯タンク２０との接続位置は、圧力逃し弁１次側接続配管７６と貯湯タンク２０との接続位置よりも貯湯タンク２０の上下方向に距離Ｈだけ低い位置にある。従って、戻り管内の湯から空気が発生しても、発生した空気は貯湯タンク２０に一旦流入して圧力逃し弁１次側接続配管７６に流入しやすくなる。
【００４０】
また、貯湯式給湯機１００Ａでは、圧力逃し弁１次側接続配管７６と貯湯タンク２０との接続位置が第２給湯管６２と貯湯タンク２０との接続位置よりも高い位置にある。これにより、戻り管内の湯や、貯湯タンク２０内の湯から空気が発生しても、給湯管路６０には空気が流入しにくくなるため、給湯管路６０に接続された給湯栓６３（図１参照）から空気の混ざった湯が噴出することが抑制される。なお、圧力逃し弁１次側接続配管７６と貯湯タンク２０との接続位置は、第２戻り管部３２ｂと貯湯タンク２０との接続位置と同一高さであってもよい。
【００４１】
図１および図２に示した貯湯式給湯機１００，１００Ａでは、往き管接続部４１ａ、戻り管接続部４１ｂ、給湯管接続部４２、排水管接続部４３が筐体４０の天面部に設けられているが、本発明はこれに限定されるものではない。図３〜図５は、それぞれ、本発明の貯湯式給湯機の更に他の例での要部を概略的に示す拡大図である。これら図３〜図５においては、図１に示した構成部材と機能が共通する構成部材に図１で用いた参照符号と同じ参照符号を付してある。
【００４２】
図３に示す貯湯式給湯機１００Ｂでは、往き管接続部４１ａ、戻り管接続部４１ｂ、給湯管接続部４２、排水管接続部４３は、筐体４０の側部での天面部側に設けられている。また、図４に示す貯湯式給湯機１００Ｃでは、筐体４０の天面および側面に対して傾斜した凹部４６が筐体４０の側部から天面部に亘って設けられ、この凹部４６に往き管接続部４１ａ、戻り管接続部４１ｂ、給湯管接続部４２、および排水管接続部４３が配置されている。
【００４３】
図５に示す貯湯式給湯機１００Ｄでは、筐体４０に該筐体４０の側部から天面部に亘る凹部４７が設けられ、往き管接続部４１ａ、戻り管接続部４１ｂ、給湯管接続部４２、および排水管接続部４３の各々は当該凹部４７に配置されている。凹部４７は、筐体４０の側方および上方のいずれの方向から見ても垂直方向に陥没した形状を有しており、往き管接続部４１ａ、戻り管接続部４１ｂ、給湯管接続部４２、および排水管接続部４３の各々は凹部４６に収まっている。すなわち、往き管接続部４１ａ、戻り管接続部４１ｂ、給湯管接続部４２、および排水管接続部４３の各々は、筐体４０の側面および天面のいずれからも突出していない。
【００４４】
図５に示した貯湯式給湯機１００Ｄにおけるように往き管接続部４１ａ、戻り管接続部４１ｂ、給湯管接続部４２、および排水管接続部４３の各々を配置すると、これら往き管接続部４１ａ、戻り管接続部４１ｂ、給湯管接続部４２、および排水管接続部４３が、パイプスペース１１０内の他の配管や設備の障害物となりにくくなる。このため、貯湯式給湯機１００Ｄの設置の自由度は、図１〜図３に示した貯湯式給湯機１００、１００Ａ、１００Ｂの設置の自由度よりも高い。また、その美観も、図１〜図３に示した貯湯式給湯機１００、１００Ａ、１００Ｂに比べて向上する。
【００４５】
なお、図４に示した凹部４６および図５に示した凹部４７には、それぞれ、往き管接続部４１ａ、戻り管接続部４１ｂ、給湯管接続部４２、および排水管接続部４３が設けられているが、本発明はこれに限定されるものではなく、筐体４０に設けた凹部には少なくとも往き管接続部４１ａ、戻り管接続部４１ｂが設けられていればよい。本発明の貯湯式給湯機については、上述したもの以外にも種々の変形、修飾、組み合わせ等が可能である。
【産業上の利用可能性】
【００４６】
本発明の貯湯式給湯機は、集合住宅のパイプスペースのような限られたスペースに設置される貯湯式給湯機として特に好適である。
【図面の簡単な説明】
【００４７】
【図１】本発明の貯湯式給湯機の一例を概略的に示す設置構成図である。
【図２】本発明の貯湯式給湯機の他の例での要部を概略的に示す拡大図である。
【図３】本発明の貯湯式給湯機の更に他の例での要部を概略的に示す拡大図である。
【図４】本発明の貯湯式給湯機の更に他の例での要部を概略的に示す拡大図である。
【図５】本発明の貯湯式給湯機の更に他の例での要部を概略的に示す拡大図である。
【符号の説明】
【００４８】
１０  ヒートポンプユニット
１１  熱交換器
１２ａ  第１接続部
１２ｂ  第２接続部
１３  熱交換器接続往き管
１４  熱交換器接続戻り管
１６  第１排出口
１９  筐体
２０  貯湯タンク
２０ａ、２０ｂ、２０ｃ、２０ｄ  温度検出センサ
３０  循環管路
３１ａ  第１往き管部
３１ｂ  第２往き管部
３２ａ  第１戻り管部
３２ｂ  第２戻り管部
４０  筐体
４１ａ  往き管接続部
４１ｂ  戻り管接続部
４２  給湯管接続部
４３  排水管接続部
４５  第２排出口
４６、４７  凹部
５０  給水管路
６０  給湯管路
６１  第１給湯管
６２  第２給湯管
７０  排水管路
７１  第１排水管
７２  第２排水管
７３  貯湯タンク排水配管
７４  貯湯タンク排水弁
７５  圧力逃し弁
７６  圧力逃し弁１次側接続配管
７７  圧力逃し弁２次側接続配管
７９  ドレン配管
１００，１００Ａ，１００Ｂ，１００Ｃ，１００Ｄ  貯湯式給湯機
【図１】
2009204253.tif 000003
【図２】
2009204253.tif 000004
【図３】
2009204253.tif 000005
【図４】
2009204253.tif 000006
【図５】
2009204253.tif 000007